(57)【特許請求の範囲】
【請求項１】
扁平形状の表示装置の筐体に対する傾斜角を変化させる表示装置のチルト機構であって、
前記筐体に形成され、少なくともその筐体の表面と前記表示装置の下端前縁部とが連続するように前記表示装置を収納する凹部と、
前記筐体の表面と前記表示装置の下端前縁部との連続部位を中心軸としてその中心軸からの距離がそれぞれ異なる同心円の一部を構成し、前記凹部と前記表示装置とにそれぞれ配設される少なくとも三以上の曲面形状部材を有し、一の前記曲面形状部材を他の前記曲面形状部材で摺動自在に挟み込んで前記筐体と前記表示装置とを回動自在に連結する連結機構と、
これらの曲面形状部材によって回動自在に連結された前記筐体と前記表示装置とを任意傾斜角で保持する傾斜保持手段と、
を備える表示装置のチルト機構。
【発明の詳細な説明】
【０００１】
【発明の属する技術分野】
本発明は、商品販売登録データ処理装置であるＰＯＳ（Ｐｏｉｎｔ  ｏｆ  Ｓａｌｅｓ：販売時点管理）端末やその他の電子機器等に付設される表示装置を任意傾斜角で保持するための表示装置のチルト機構に関する。
【０００２】
【従来の技術】
例えば、量販店や専門店等において使用される商品販売登録データ処理装置であるＰＯＳ端末には、例えばＬＣＤ（Ｌｉｑｕｉｄ  Ｃｒｙｓｔａｌ  Ｄｉｓｐｌａｙ）等を主体に構成された薄型扁平形状の表示装置が付設されていることが多い。また、このようにＬＣＤ等を主体に構成された表示装置には、ＰＯＳ端末を操作するオペレータに対する表示装置の角度を調整することで各オペレータにとって快適な操作環境を提供すべく、その表示装置の傾斜角を可変自在に変化させるチルト機構を備える場合が多い。
【０００３】
ここで、図６は従来の表示装置のチルト機構の一例を概略的に示す外観斜視図である。図６に示すように、ＰＯＳ端末１００に設けられた表示装置１０１は、その表示装置１０１の下端とＰＯＳ端末１００の本体部１０２とをロックヒンジを備えた回転軸（図示せず）を内蔵した連結部１０３において連結することにより、表示装置１０１の傾斜角を可変自在に変化させるチルト機構を備えている。
【０００４】
一方、図７は従来の表示装置のチルト機構の別の一例を概略的に示す側面図である。図７に示すように、ＰＯＳ端末２００に設けられた表示装置２０１は、その表示装置２０１の背面に備えられた半円柱状の連結部２０２とＰＯＳ端末２００の本体部２０３に形成された凹部（図示せず）とをその凹部内部で部分的に嵌合させながら回動自在にすることにより、表示装置２０１の傾斜角を可変自在に変化させるチルト機構を備えている。
【０００５】
【発明が解決しようとする課題】
しかしながら、図６に示したＰＯＳ端末１００に設けられる表示装置１０１や図７に示したＰＯＳ端末２００に設けられる表示装置２０１においては、連結部１０３や連結部２０２が常に外部に露出した状態にあることにより、回転軸の存在を感じさせる形状になっており、デザイン的に好ましくない。特に、ＰＯＳ端末等の商品販売登録データ処理装置は客の目の前で使用されることが多いために、装置の美観は非常に重要になってくる。
【０００６】
本発明の目的は、デザイン的に支障を来すことがない表示装置のチルト機構を提供することである。
【０００７】
【課題を解決するための手段】
請求項１記載の発明は、扁平形状の表示装置の筐体に対する傾斜角を変化させる表示装置のチルト機構であって、前記筐体に形成され、少なくともその筐体の表面と前記表示装置の下端前縁部とが連続するように前記表示装置を収納する凹部と、前記筐体の表面と前記表示装置の下端前縁部との連続部位を中心軸としてその中心軸からの距離がそれぞれ異なる同心円の一部を構成し、前記凹部と前記表示装置とにそれぞれ配設される少なくとも三以上の曲面形状部材を有し、一の前記曲面形状部材を他の前記曲面形状部材で摺動自在に挟み込んで前記筐体と前記表示装置とを回動自在に連結する連結機構と、これらの曲面形状部材によって回動自在に連結された前記筐体と前記表示装置とを任意傾斜角で保持する傾斜保持手段と、を備える。
【０００８】
したがって、筐体と表示装置とを回動自在に連結する連結機構が、凹部に収納された表示装置の下端前縁部とその表示装置の下端前縁部に連続する筐体表面との連続部位を中心軸としてその中心軸からの距離がそれぞれ異なる同心円の一部を構成する少なくとも三以上の曲面形状部材を有し、一の曲面形状部材を他の曲面形状部材で摺動自在に挟み込むように凹部と表示装置とにそれぞれ配設されて構成される。これにより、連続部位を回転軸として表示装置を回動させた場合、一の曲面形状部材が他の曲面形状部材間を摺動し、表示装置は傾斜保持手段によって任意傾斜角で保持されるので、筐体に対する表示装置の傾斜角が変化することになる。
【０００９】
【発明の実施の形態】
本発明の実施の一形態を図１ないし図６に基づいて説明する。本実施の形態の表示装置は、量販店等で使用されるＰＯＳ端末に付設されるディスプレイに適用されている。
【００１０】
ここで、図１はディスプレイ６を付設したＰＯＳ端末１を概略的に示す外観斜視図である。図１に示すように、このＰＯＳ端末１の筐体である本体ケース２の操作者側から見て左側には、プリンタを内蔵してそのプリンタによって印字されるレシートを発行するレシート発行口３、ＩＣカード等を挿入するカード挿入口４等が設けられている。一方、ＰＯＳ端末１の本体ケース２の操作者側から見て右側には、ＬＣＤ５を主体に構成されて操作者側の表示部として機能して傾斜形状を有する扁平形状の表示装置であるディスプレイ６、各種のキーが集合するキーボード７、磁気カードを挿入する磁気カード挿入口８等が設けられている。また、ディスプレイ６は本体ケース２に形成されたディスプレイ６と略同一な容積を有する上面開放の凹部９（図２参照）に対して嵌合状態で内蔵されており、ディスプレイ６の下端前縁部６ａと本体ケース２の表面とは視覚的に連続している。さらに、ディスプレイ６は、ディスプレイ６の下端前縁部６ａにおいて回動自在とされている。
【００１１】
次に、本体ケース２とディスプレイ６との取付構造について説明する。ここで、図２は本体ケース２におけるディスプレイ６の取付位置付近を部分的に示す外観斜視図、図３はディスプレイ６を本体ケース２から取り外した状態を示す斜視図である。図２に示すように、本体ケース２に形成された凹部９のキーボード７側端部に位置する底面には、二つのレール部１０が形成されている。これらのレール部１０には、本体ケース２の表面であって凹部９のキーボード７側に位置する上側端縁部９ａを中心とした円の一部を構成して凹部９の底面に成形された曲面形状部材の一つである曲面１０ａと、この曲面１０ａの上部に支持部１０ｂによって支持されていて曲面１０ａが構成する円よりも上側端縁部９ａからの距離（半径）が近い（短い）同心円の一部を構成する曲面形状部材の一つである曲面１０ｃとに挟まれた湾曲レール１１が形成されている。
【００１２】
一方、図３に示すように、ディスプレイ６の下方には、二つのアーム部１２が形成されており、これらのアーム部１２が本体ケース２に形成された二つのレール部１０の曲面１０ａと曲面１０ｃとの間にそれぞれ嵌合することにより、ディスプレイ６は本体ケース２に対して回動自在に連結される。つまり、レール部１０とアーム部１２とによって、連結機構Ｂ（図４参照）が構成されている。
【００１３】
より詳細には、これらのアーム部１２には、ディスプレイ６の下端前縁部６ａを中心とした曲面形状部材である曲面１２ａが形成されている。この曲面１２ａは、本体ケース２にディスプレイ６を取り付けた場合において、レール部１０の曲面１０ａが構成する円よりも半径が短くてレール部１０の曲面１０ｃが構成する円よりも半径が長い同心円の一部を構成するように形成されている。また、曲面１２ａの厚さは、レール部１０の湾曲レール１１を構成する曲面１０ａと曲面１０ｃとの間隔よりも薄く形成されている。加えて、曲面１２ａには、レール部１０の支持部１０ｂの横断面形状に略同一な切欠１２ｂが形成されている。この切欠１２ｂは、本体ケース２にディスプレイ６を取り付けた場合において、アーム部１２の曲面１２ａの位置決めの役目を果たすことになる。
【００１４】
加えて、本体ケース２とディスプレイ６との間には、折り畳み・引き伸ばしが自在なロックヒンジユニット１３（図４参照）が設けられており、本体ケース２とディスプレイ６とを連結している。このロックヒンジユニット１３は、その関節部１３ａにおいて一定の摩擦力を有していることにより、ディスプレイ６を任意位置で固定することができ、傾斜保持手段として機能する。
【００１５】
このような構成において、ディスプレイ６を本体ケース２に取り付けた状態について説明する。ここで、図４は本体ケース２に対するディスプレイ６の傾斜角が最も小さい場合における取り付け状態を示す縦断側面図である。図４に示すように、ディスプレイ６を本体ケース２に取り付けた状態においては、ディスプレイ６の下端前縁部６ａと凹部９の上側端縁部９ａとが線状に接触して連続した状態になっており、かつ、ディスプレイ６に備えられたアーム部１２の曲面１２ａが本体ケース２に形成されたレール部１０の湾曲レール１１内に挿入された状態になっている。なお、ディスプレイ６の下端前縁部６ａと凹部９の上側端縁部９ａとの連続部位については、便宜上、接線Ａとする。
【００１６】
このような状態で、本体ケース２に対するディスプレイ６の傾斜角を大きくする場合（チルトさせる場合）には、ディスプレイ６の上端等を把持して引き上げる。ここで、図５はディスプレイ６を引き上げた場合における取り付け状態を示す縦断側面図である。図５に示すように、ディスプレイ６を引き上げた場合には、ディスプレイ６の下端前縁部６ａと凹部９の上側端縁部９ａとの接線Ａを回転軸としてディスプレイ６が回動し、アーム部１２の曲面１２ａが本体ケース２に形成されたレール部１０の湾曲レール１１内をその曲面形状に沿って摺動することになる。そして、所望の傾斜角になったところでディスプレイ６の移動を止めると、ロックヒンジユニット１３の作用によってディスプレイ６が本体ケース２に対してロックされることになる。一方、このような任意の傾斜角での設定状態でディスプレイ６の傾斜角を小さくする場合には、ディスプレイ６の上端等を押し下げることにより、接線Ａを回転軸としてディスプレイ６を回動させ、アーム部１２の曲面１２ａをレール部１０の湾曲レール１１内で摺動させることになる。
【００１７】
つまり、ディスプレイ６は、そのディスプレイ６の下端前縁部６ａと本体ケース２に形成された凹部９の上側端縁部９ａとの連続部位である接線Ａを支軸とする回動軌跡に沿って、本体ケース２との連続性を維持したままで回動することになる。
【００１８】
これにより、ディスプレイ６の下端前縁部６ａと凹部９の上側端縁部９ａとの連続部位である接線Ａを回転軸としてディスプレイ６を回動させることになるので、回転軸の存在を感じさせることなくディスプレイ６を本体ケース２に対してチルト自在に取り付けることが可能になる。
【００１９】
なお、本実施の形態においては、連結機構を構成するレール部１０とアーム部１２とをそれぞれ二つずつ設けたが、レール部１０とアーム部１２とがそれぞれ同数であれば、これに限るものではない。
【００２０】
また、本実施の形態においては、傾斜保持手段としてロックヒンジユニット１３を用いたが、これに限るものではなく、例えば本体ケース２とディスプレイ６との摩擦力によってディスプレイ６の傾斜を保持するようにしても良い。
【００２１】
さらに、本実施の形態においては、表示装置としてＰＯＳ端末に付設されるディスプレイに適用したが、これに限るものではなく、その他の電子機器等に付設される表示装置に適用しても良い。
【００２２】
【発明の効果】
請求項１記載の発明によれば、筐体と表示装置とを回動自在に連結する連結機構について、凹部に収納された表示装置の下端前縁部とその表示装置の下端前縁部に連続する筐体表面との連続部位を中心軸としてその中心軸からの距離がそれぞれ異なる同心円の一部を構成する少なくとも三以上の曲面形状部材を有し、一の曲面形状部材を他の曲面形状部材で摺動自在に挟み込むように凹部と表示装置とにそれぞれ配設して構成したことにより、連続部位を回転軸として表示装置を回動させた場合、一の曲面形状部材を他の曲面形状部材間で摺動させ、表示装置を傾斜保持手段によって任意傾斜角で保持し、筐体に対する表示装置の傾斜角を変化させることができるので、回転軸の存在を感じさせることなく表示装置を筐体に対してチルト自在に取り付けることができ、デザイン的に支障を来すことがなくなる。
【図面の簡単な説明】
【図１】本発明の実施の一形態のディスプレイを付設したＰＯＳ端末を概略的に示す外観斜視図である。
【図２】本体ケースにおけるディスプレイの取付位置付近を部分的に示す外観斜視図である。
【図３】ディスプレイを本体ケースから取り外した状態を示す斜視図である。
【図４】本体ケースに対するディスプレイの傾斜角が最も小さい場合における取り付け状態を示す縦断側面図である。
【図５】ディスプレイを引き上げた場合における取り付け状態を示す縦断側面図である。
【図６】従来の表示装置のチルト機構の一例を概略的に示す外観斜視図である。
【図７】従来の表示装置のチルト機構の別の一例を概略的に示す側面図である。
【符号の説明】
２                          筐体
６                          表示装置
６ａ                        表示装置の下端前縁部
９                          凹部
９ａ                        筐体の表面
１０ａ，１０ｃ，１２ａ      曲面形状部材
１３                        傾斜保持手段
Ａ                          連続部位
Ｂ                          連結機構
【図１】
0003632949.tif 000002
【図２】
0003632949.tif 000003
【図３】
0003632949.tif 000004
【図４】
0003632949.tif 000005
【図５】
0003632949.tif 000006
【図６】
0003632949.tif 000007
【図７】
0003632949.tif 000008